(57)【要約】      （修正有）【課題】複数のドレン排水路を１つに集約した貯湯装置の排水構造を提供する。【解決手段】湯水を貯湯する貯湯タンクと、前記貯湯タンク内の過圧を逃がすと共に負圧を破壊する負圧弁付き逃がし弁と、前記貯湯タンク底部に連通し該貯湯タンク内の湯水を排水する排水栓とを備えたもので、前記負圧弁付き逃がし弁に接続した逃がしドレンホースと、前記排水栓に接続した排水ドレンホース１６とがそれぞれ接続される１つの大気開放の集水器１７を備え、この集水器１７の側壁には排水ドレンホース１６のＬ字先端２２が貫通する挿通穴２３が形成され、集水器１７内にはこの排水ドレンホース１６のＬ字先端２２が当接して位置決めされる突設壁２４が設けられ、更に排水ドレンホース１６のＬ字先端２２の下向き放出口２６と対向する集水器１７底部には、放出口２６から放出される排水を渦流として排水口へ案内する擂り鉢面２７とした。【選択図】図５
2014206317.tif 000002
【特許請求の範囲】
【請求項１】
湯水を貯湯する貯湯タンクと、前記貯湯タンク内の過圧を逃がすと共に負圧を破壊する負圧弁付き逃がし弁と、前記貯湯タンク底部に連通し該貯湯タン内の湯水を排水する排水栓とを備えたものに於いて、前記負圧弁付き逃がし弁に接続した逃がしドレンホースと、前記排水栓に接続した排水ドレンホースとがそれぞれ接続される１つの大気開放の集水器を備え、この集水器の側壁には排水ドレンホースのＬ字先端が貫通する挿通穴が形成され、集水器内にはこの排水ドレンホースのＬ字先端が当接して位置決めされる突設壁が設けられ、更に排水ドレンホースのＬ字先端の下向き放出口と対向する集水器底部には、放出口から放出される排水を渦流として排水口へ案内する擂り鉢面とした事を特徴とする貯湯装置の排水構造。
【請求項２】
前記集水器内は仕切板で、逃がしドレンホースが接続した逃がしホース側と、排水ドレンホースが接続した排水ホース側とに仕切られ、排水ホース側の排水ドレンホースのＬ字先端の上方には、排水のせり上がりを防止する規制板が備えられている事を特徴とする請求項１記載の貯湯装置の排水構造。
【発明の詳細な説明】
【技術分野】
【０００１】
この発明は、複数のドレンホースを１つの集水器に集約してから器具外に排水させるようにした貯湯装置の排水構造に関するものである。
【背景技術】
【０００２】
従来よりこの種の貯湯装置に於いては、貯湯タンクに接続された逃がし弁から出る膨張水を排出する第１排出管と、貯湯タンク側と浴槽側とを縁切りする縁切り装置から出る水を排出する第２排出管とを集約し１箇所から排出する排水口を有した排水タンクを備えたものであった。（特許文献１参照。）
【先行技術文献】
【特許文献】
【０００３】
【特許文献１】特開２００５−１４７４１２号公報
【発明の概要】
【発明が解決しようとする課題】
【０００４】
ところでこの従来のものでは、貯湯タンクからの排水はないが、万一貯湯タンクからの排水ドレンホースが接続された場合は、長時間に渡り大量の排水がこの排水タンクに供給されることになるので、排水口からの排水が間に合わずに排水タンクから排水が溢れ出して、周囲を水浸しにしてしまうと言う課題を有するものであった。
【課題を解決するための手段】
【０００５】
この発明はこの点に着目し上記課題を解決する為、特にその構成を、湯水を貯湯する貯湯タンクと、前記貯湯タンク内の過圧を逃がすと共に負圧を破壊する負圧弁付き逃がし弁と、前記貯湯タンク底部に連通し該貯湯タン内の湯水を排水する排水栓とを備えたものに於いて、前記負圧弁付き逃がし弁に接続した逃がしドレンホースと、前記排水栓に接続した排水ドレンホースとがそれぞれ接続される１つの大気開放の集水器を備え、この集水器の側壁には排水ドレンホースのＬ字先端が貫通する挿通穴が形成され、集水器内にはこの排水ドレンホースのＬ字先端が当接して位置決めされる突設壁が設けられ、更に排水ドレンホースのＬ字先端の下向き放出口と対向する集水器底部には、放出口から放出される排水を渦流として排水口へ案内する擂り鉢面としたものである。
【０００６】
又請求項２では、前記集水器内は仕切板で、逃がしドレンホースが接続した逃がしホース側と、排水ドレンホースが接続した排水ホース側とに仕切られ、排水ホース側の排水ドレンホースのＬ字先端の上方には、排水のせり上がりを防止する規制板が備えられているものである。
【発明の効果】
【０００７】
以上のようにこの発明によれば、貯湯タンクからの排水が長時間に渡り大量でも、この排水は排水ドレンホースを介して集水器に供給されることになるが、排水ドレンホースのＬ字先端は集水器内まで入り込み、しかも突設壁で位置決めされているので、大量の排水が供給されても排水ドレンホースのＬ字先端は動くことがなく、確実に排水されるものであり、更にＬ字先端の放出口と対向する底部を擂り鉢面としたことで、放出される排水を擂り鉢面に当てて斜め下方の排水口に向け渦流にして排水され、流が乱れることなくスムーズに流れて、溢れ出しを阻止することが出来るものである。
【０００８】
又請求項２によれば、前記集水器内は仕切板で、逃がしドレンホースが接続した逃がしホース側と、排水ドレンホースが接続した排水ホース側とに仕切られ、排水ホース側の排水ドレンホースのＬ字先端の上方には、排水のせり上がりを防止する規制板が備えられているので、排水のせり上がりによる溢れ出しも確実に防止出来、常に安心して使用出来るものである。
【図面の簡単な説明】
【０００９】
【図１】この発明の一実施形態の概略構成図。
【図２】同要部の説明図。
【図３】同集水器の斜視図。
【図４】同集水器の平面図。
【図５】図３のＡ−Ａ線断面図。
【図６】図３のＢ−Ｂ線断面図。
【図７】同集水器の正面図。
【図８】図６のＣ−Ｃ線断面図。
【発明を実施するための形態】
【００１０】
次にこの発明の一実施形態を図面に基づいて説明する。
１は湯水を貯湯する貯湯タンク２を有した貯湯ユニット、３は貯湯タンク２の下部へ給水する給水管、４は給水管３途中に設けられ給水圧を第１所定圧力にまで減圧する減圧弁、５は減圧弁４より上流側に設けられ手動で給水を遮断する止水栓である。
【００１１】
６は貯湯タンク２の上部の湯を給湯栓７へ給湯する給湯管、８は給水管３から分岐されて給湯管６途中へ接続された給水バイパス管、９は給湯管６と給水バイパス管８との合流点に設けられ貯湯タンク１からの湯と給水管６からの水を任意の混合比率に調節する混合弁、１０は混合弁９の下流に設けられ給湯流量を検出する給湯流量センサ、１１は給湯流量センサ１０の下流に設けられ給湯温度を検出する給湯温度センサ、１２は給湯管６の貯湯タンク２に近い位置で接続されこの貯湯タンク２内の圧力が第１所定圧力より高い第２所定圧力を超過すると開弁して過圧を逃がすと共に負圧を破壊する負圧弁付き逃がし弁である。
【００１２】
１３は貯湯タンク２の底部に接続された排水管、１４は排水管１３途中に設けられ手動で開いて貯湯タンク２の排水を行う排水栓であり、この貯湯タンク２内の排水を行う場合は、前記止水栓５を閉めて給水を止めた後に、負圧弁付き逃がし弁１２を手動で開成して貯湯タンク２内に空気が入るようにした状態で排水栓１４を開成して行われるものである。
【００１３】
１５は負圧弁付き逃がし弁１２に接続されたゴム製の逃がしドレンホースで、過圧分の排水及び初期使用時の貯湯タンク２からの排水を行うものである。１６は排水管１３に接続されたゴム製の排水ドレンホースで、貯湯タンク２内の排水を行うものである。
【００１４】
１７は前記逃がしドレンホース１５及び排水ドレンホース１６がそれぞれ接続される１つの大気開放の集水器で、上部蓋体１８には逃がしドレンホース１５の一端内に押し込まれることで接続される突出した接続口１９が設けられており、この接続口１９に連通する上部蓋体１８の裏側には、逃がしドレンホース１５から放出される排水を、集水器１７内の底部に形成された排水口２０まで垂下して案内する半円状を呈した導水板２１が備えられおり、排水は半円状の導水板２１に案内されることで、ある程度は飛散することなくまとまった形で流下するが、パイプと違って流量に制限がなく、大量の排水を直接排水口２０まで案内することが出来、排水の溢れ出しを確実に防止出来るものである。
【００１５】
前記集水器１７の側壁には、排水ドレンホース１６のＬ字先端２２が貫通する該排水ドレンホース１６の径よりやや小径の挿通穴２３が形成され、又集水器１７内にはこの排水ドレンホース１６のＬ字先端２２が当接して位置決めされる突設壁２４が設けられ、更に排水ドレンホース１６のＬ字先端２２の下向き放出口２５と対向する集水器１７底部には、放出口２６から放出される排水を渦流として排水口２０へ案内する擂り鉢面２７としたものであり、更にこの集水器１７内は仕切板２８により、逃がしドレンホース１５が接続した逃がしホース側２９と、排水ドレンホース１６が挿入した排水ホース側３０とに仕切られており、この仕切板２８は導水板２１と一体成形され、排水口２０も逃がしホース側２９と排水ホース側３０とに仕切板２８で仕切られるものであり、排水ホース側３０の排水ドレンホース１６のＬ字先端２２の上方には、排水のせり上がりを防止する規制板３１が備えられている。
【００１６】
３２は貯湯タンク２内の湯水を加熱するヒートポンプ式の加熱手段で、貯湯タンク２の下部から取り出した水を加熱して貯湯タンク２の上部へ戻すように循環回路３３で貯湯タンク２と接続されている。なお、このヒートポンプ式の加熱手段３２の内部には、図示しない圧縮機、水冷媒熱交換器、膨張弁、蒸発器が環状に接続されていると共に、水冷媒熱交換器の水側には循環ポンプを介して循環回路３３と貯湯タンク２内の湯水が循環可能に接続されている。
【００１７】
３４は貯湯タンク２の側面上下に複数設けられ貯湯タンク２内の湯水の温度を検出する貯湯温度センサ、３５はマイクロコンピュータを有してこの貯湯装置全体の制御を行う制御部であり、台所リモコン３６からの指示により混合弁９を制御して設定温度の給湯を行うものであり、３７は集水器１７の上部蓋体１８に形成された複数の大気開放穴である。
【００１８】
次にこの一実施形態の作動について説明する。
今契約電力の深夜時間帯では、循環回路３３によって貯湯タンク２下部の低温水を加熱手段３２で沸き上げて、高温水を貯湯タンク２上部に戻し、順次この循環を繰り返して午後２３時から翌朝７時迄に貯湯タンク２内全体に高温水を貯湯するようにするものである。
【００１９】
そして、この貯湯タンク２内の高温水を、混合弁９で給湯管６からの高温水と給水バイパス管８からの給水とを混合して、台所リモコン３６で設定された給湯設定温度の温水として給湯栓７から給湯して利用するものである。
【００２０】
又この貯湯装置の初期設置時には、貯湯タンク２内の空気を抜きながら給水する為に、止水栓５を手動で開成すると共に負圧弁付き逃がし弁１２を手動で開成すると、貯湯タンク２内が給水で満杯となった後、負圧弁付き逃がし弁１２から逃がしドレンホース１５を介して余剰の給水が排水として短時間に大量に溢れ出すが、この排水は集水器１７の接続口１９から導水板２１に案内されて排水口２０よりスムーズに排水されるので、集水器１７から溢れ出して周囲を汚す心配がなく安心して使用出来るものである。
【００２１】
更に導水板２１は半円状を呈し、上部蓋体１８から垂下して排水口２０まで達しているので、排水はある程度飛散を抑えられながら、しかも流量を規制されることなく流下し、確実に大量の排水をもれなく排水口２０まで案内して、的確な誘導案内で漏れ出しを確実に防止出来るものである。
【００２２】
次に貯湯タンク２内の排水を行う場合、止水栓５を手動で閉成し負圧弁付き逃がし弁１２を手動で開成した後、排水栓１４を開成すると、空気が負圧弁付き逃がし弁１２から貯湯タンク２内に流入すると同時に、排水栓１４から排水されるが、この排水は排水ドレンホース１６を介して集水器１７に入り、集水器１７の排水口２０から排水されるもので、集水器１７内が仕切板２８により、逃がしドレンホース１５が接続した逃がしホース側２９と、排水ドレンホース１６が接続した排水ホース側３０とに仕切られているので、貯湯タンク２内の排水と他の排水とが干渉することなく、お互いに独立して排水されるので、同時排水されたとしても集水器１７から排水が溢れ出す心配がなく、安心して使用出来るものである。
【００２３】
更に貯湯タンク２からの排水が長時間に渡り大量でも、この排水は排水ドレンホース１６を介して集水器１７に供給されることになるが、排水ドレンホース１６のＬ字先端２２は集水器１７内まで入り込み、しかも突設壁２４で位置決めされているので、大量の排水が供給されても排水ドレンホース１６のＬ字先端２２は動くことがなく、確実に排水されるものであり、更にＬ字先端２２の放出口２６と対向する底部を擂り鉢面２７としたことで、放出される排水を擂り鉢面２７に当てて斜め下方の排水口２０に向け渦流にして排水され、流が乱れることなくスムーズに流れて、溢れ出しを阻止することが出来るものである。
【００２４】
又前記集水器１７内は仕切板２８で仕切られた、排水ホース側３０の排水ドレンホース１６のＬ字先端２２の上方には、排水のせり上がりを防止する規制板３１が備えられているので、勢い良く排水されることで発生する排水のせり上がりによる溢れ出しも確実に防止出来、常に安心して使用出来るものである。
【００２５】
又貯湯タンク２内が過圧状態となり負圧弁付き逃がし弁１２から過圧分の温水が排水されたとしても、この排水も逃がしドレンホース１５から集水器１７の接続口１９を通り、導水板２１に案内され排水口２０からスムーズに排水されるものである。
【符号の説明】
【００２６】
２  貯湯タンク
１２  負圧弁付き逃がし弁
１４  排水栓
１５  逃がしドレンホース
１６  排水ドレンホース
１７  集水器
１９  接続口
２０  排水口
２１  導水板
２２  Ｌ字先端
２３  挿通穴
２４  突設壁
２６  放出口
２７  擂り鉢面
２８  仕切板
２９  逃がしホース側
３０  排水ホース側
【図１】
2014206317.tif 000003
【図２】
2014206317.tif 000004
【図３】
2014206317.tif 000005
【図４】
2014206317.tif 000006
【図５】
2014206317.tif 000007
【図６】
2014206317.tif 000008
【図７】
2014206317.tif 000009
【図８】
2014206317.tif 000010